(57)【要約】【課題】ユーザが目的とする機能を簡易に、かつ、確実に実行できる技術を提供する。【解決手段】  ユーザがタッチパネルに一点および複数点のいずれで近接したかに応じて、ユーザのタッチパネルに対する接触により定まる接触位置、および、タッチパネルに対する近接により定まる近接位置のいずれかが取得され、接触位置に関連付けられた命令である第１接触命令、および、近接位置に関連付けられた命令である第１近接命令のいずれかが受け付けられる。これにより、ユーザが目的とする機能を実現させる際のタッチパネルに対する操作回数が減少して簡易な操作が可能となる。また、ユーザの意図する操作が接触操作および近接操作のいずれの操作であるかが判別可能となり、ユーザが目的とする機能を確実に実行できる。【選択図】図２
2014149589.tif 000002
【特許請求の範囲】
【請求項１】
物体を検出する第一の検出手段と第二の検出手段を有し、
前記第一の検出手段の検出範囲と前記第二の検出手段の検出範囲は隣接して配置され、第一の検出手段は、先ず物体の状態を検出し、当該物体による操作が第一の検出手段に対する操作か、第二の検出手段に対する操作かを判別する制御手段を備えることを特徴とする入力操作装置。
【請求項２】
請求項１に記載の入力操作装置において、
前記第一の検出手段は空間の物体を検出する手段であり、前記第二の検出手段はタッチパネルであり、前記物体の状態は指の状態であることを特徴とする入力操作装置。
【請求項３】
請求項１または２に記載の入力操作装置において、
前記第一の検出手段の検出範囲と前記第二の検出手段の検出範囲における隣接は、上下または左右の配置の少なくともいずれか一方を含む位置関係にあることを特徴とする入力操作装置。
【請求項４】
請求項１乃至３のいずれかに記載の入力操作装置において、
前記制御手段は前記判別に基づき、前記第一の検出手段および前記第二の検出手段の少なくともいずれか一方において所定期間物体による入力操作を禁止することを特徴とする入力操作装置。
【請求項５】
タッチパネルを備える表示装置において、
ユーザの前記タッチパネルへの近接を検出する検出手段と、
前記ユーザが前記タッチパネルに一点および複数点のいずれで近接したかに応じて、前記ユーザの前記タッチパネルに対する接触により定まる接触位置、および、前記タッチパネルに対する近接により定まる近接位置のいずれかを取得する取得手段と、
前記接触位置に関連付けられた命令である第１接触命令、および、前記近接位置に関連付けられた命令である第１近接命令のいずれかを受け付ける受付手段と、
を備えることを特徴とする表示装置。
【請求項６】
請求項５に記載の表示装置において、
前記受付手段は、前記ユーザが前記タッチパネルに一点で近接した場合に、前記第１接触命令を受け付けて、前記ユーザが前記タッチパネルに複数点で近接した場合に、前記第１近接命令を受け付けること、
を特徴とする表示装置。
【請求項７】
請求項５または６に記載の表示装置において、
前記タッチパネルの周辺に設けられた操作部をさらに備え、
前記検出手段は、前記ユーザの前記操作部への近接を検出し、
前記取得手段は、前記ユーザが前記操作部に一点および複数点のいずれで近接したかに応じて、前記ユーザが前記操作部に接触した接触位置、および、前記操作部に近接した近接位置のいずれかを取得し、
前記受付手段は、前記ユーザが前記タッチパネルおよび前記操作部のいずれかに一点および複数点のいずれで近接したかに応じて、前記操作部に対する接触位置に関連付けられた命令である第２接触命令と、前記操作部に対する近接位置に関連付けられた命令である第２近接命令とのいずれかを受け付けること、
を特徴とする表示装置。
【請求項８】
請求項５乃至７のいずれかに記載の表示装置において、
前記受付手段は、前記ユーザが前記タッチパネルおよび前記操作部のいずれかに一点で近接した場合に、前記第２接触命令を受け付けて、前記ユーザが前記タッチパネルおよび前記操作部のいずれかに複数点で近接した場合に、前記第２近接命令を受け付けること、
を特徴とする表示装置。
【請求項９】
タッチパネルを備える表示装置に対するコマンド選択方法において、
ユーザの前記タッチパネルへの近接を検出する工程と、
前記ユーザが前記タッチパネルに一点および複数点のいずれで近接したかに応じて、前記ユーザの前記タッチパネルに対する接触により定まる接触位置、および、前記タッチパネルに対する近接により定まる近接位置のいずれかを取得する工程と、
前記接触位置に関連付けられた命令である第１接触命令、および、前記近接位置に関連付けられた命令である第１近接命令のいずれかを受け付ける工程と、
を備えることを特徴とするコマンド選択方法。
【請求項１０】
タッチパネルを備える表示装置において、
ユーザの前記タッチパネルへの近接を検出する検出手段と、
前記ユーザが前記タッチパネルに近接した近接位置を取得する取得手段と、
前記ユーザが前記タッチパネルに一点および複数点のいずれで近接したかに応じて、前記表示装置の複数の機能のうち第１の機能に関連付けられた命令である第１機能命令、および、第２の機能に関連付けられた命令である第２機能命令のいずれかを受け付ける受付手段と、
を有することを特徴とする表示装置。
【請求項１１】
タッチパネルを備える表示装置に対するコマンド選択方法において、
ユーザの前記タッチパネルへの近接を検出する工程と、
前記ユーザが前記タッチパネルに近接した近接位置を取得する工程と、
前記ユーザが前記タッチパネルに一点および複数点のいずれで近接したかに応じて、前記表示装置の複数の機能のうち第１の機能に関連付けられた命令である第１機能命令、および、第２の機能に関連付けられた命令である第２機能命令のいずれかを受け付ける工程と、
を有することを特徴とするコマンド選択方法。
【請求項１２】
タッチパネルおよび該タッチパネルの周辺に設けられた操作部を備える表示装置において、
ユーザの前記タッチパネルおよび前記操作部のいずれかへの近接を検出する検出手段と、
前記ユーザが前記タッチパネルおよび前記操作部のいずれかに近接した近接位置を取得する取得手段と、
前記ユーザが前記タッチパネルおよび前記操作部のいずれかに一点および複数点のいずれで近接したかに応じて、前記ユーザが前記タッチパネルに近接した位置に関連付けられた命令である第１近接命令、および、前記ユーザが近接した前記操作部に関連付けられた命令である第２近接命令のいずれかを受け付ける受付手段と、
を備えることを特徴とする表示装置。
【請求項１３】
タッチパネルおよび該タッチパネルの周辺に設けられた操作部を備える表示装置に対するコマンド選択方法において、
ユーザの前記タッチパネルおよび前記操作部のいずれかへの近接を検出する工程と、
前記ユーザが前記タッチパネルおよび前記操作部のいずれかに近接した近接位置を取得する工程と、
前記ユーザが前記タッチパネルおよび前記操作部のいずれかに一点および複数点のいずれで近接したかに応じて、前記ユーザが前記タッチパネルに近接した位置に関連付けられた命令である第１近接命令、および、前記ユーザが近接した前記操作部に関連付けられた命令である第２近接命令のいずれかを受け付ける工程と、
を備えることを特徴とするコマンド選択方法。
【発明の詳細な説明】
【技術分野】
【０００１】
本発明は、ユーザの操作を受け付ける装置に関する。
【背景技術】
【０００２】
近年、タッチパネルを備えた表示部に画像を表示する表示装置が普及している。そして、表示装置の複数の機能（例えば、ナビゲーション機能やオーディオ機能）のうちユーザの目的とする機能を実行するために、タッチパネルの操作面中の所定位置にユーザが指等を接触させる接触操作を行うことで、当該タッチパネルの操作面中の所定位置に関連付けられた機能を実行する技術がある。また、表示装置にカメラを設けて、ディスプレイに表示された画像に対して近接したユーザの手の平をカメラで撮影し、その撮影画像からユーザの手の平の位置に基づく動きの方向と動きの速さ等に応じた操作、つまり、ユーザのディスプレイに対する非接触の操作によりユーザの目的とする機能を実行する技術が開示されている（例えば、特許文献１参照）。
【先行技術文献】
【特許文献】
【０００３】
【特許文献１】特開２００６−２０９５６３号公報
【発明の概要】
【発明が解決しようとする課題】
【０００４】
ところで、ユーザがタッチパネルに対する接触操作や、ディスプレイに対する非接触操作で機能を実行する場合、表示装置が有する機能の数の増加に伴い、ユーザの操作回数が増加するときがあり、操作が複雑となることがあった。また、ユーザの接触操作と非接触操作とを単純に組み合わせてそれぞれの操作に関連付けられた個別の機能を実行する場合、本来ユーザが目的とする機能が実行されないときがあった。例えば、ユーザが目的とする機能がタッチパネルの接触操作に関連付けられている場合、ユーザが接触操作を行おうとして指等をタッチパネルに近づけたときに、ユーザが本来意図しない非接触による操作が受け付けられて、その非接触操作に関連付けられた機能が実行されることでユーザが目的とする機能が実行されないときがあった。
【０００５】
本発明は、上記課題に鑑みてなされたものであり、ユーザが目的とする機能を簡易に、かつ、確実に実行できる技術を提供することを目的とする。
【課題を解決するための手段】
【０００６】
上記課題を解決するため、請求項１の発明は、物体を検出する第一の検出手段と第二の検出手段を有し、前記第一の検出手段の検出範囲と前記第二の検出手段の検出範囲は隣接して配置され、第一の検出手段は、先ず物体の状態を検出し、当該物体による操作が第一の検出手段に対する操作か、第二の検出手段に対する操作かを判別する制御手段を備える。
【０００７】
また、請求項２の発明は、請求項１に記載の入力操作装置において、前記第一の検出手段は空間の物体を検出する手段であり、前記第二の検出手段はタッチパネルであり、前記物体の状態は指の状態である。
【０００８】
また、請求項３の発明は、請求項１または２に記載の入力操作装置において、前記第一の検出手段の検出範囲と前記第二の検出手段の検出範囲における隣接は、上下または左右の配置の少なくともいずれか一方を含む位置関係にある。
【０００９】
また、請求項４の発明は、請求項１乃至３のいずれかに記載の入力操作装置において、前記制御手段は前記判別に基づき、前記第一の検出手段および前記第二の検出手段の少なくともいずれか一方において所定期間物体による入力操作を禁止する。
【００１０】
また、請求項５の発明は、タッチパネルを備える表示装置において、ユーザの前記タッチパネルへの近接を検出する検出手段と、前記ユーザが前記タッチパネルに一点および複数点のいずれで近接したかに応じて、前記ユーザの前記タッチパネルに対する接触により定まる接触位置、および、前記タッチパネルに対する近接により定まる近接位置のいずれかを取得する取得手段と、前記接触位置に関連付けられた命令である第１接触命令、および、前記近接位置に関連付けられた命令である第１近接命令のいずれかを受け付ける受付手段と、を備える
また、請求項６の発明は、請求項５に記載の表示装置において、前記受付手段は、前記ユーザが前記タッチパネルに一点で近接した場合に、前記第１接触命令を受け付けて、前記ユーザが前記タッチパネルに複数点で近接した場合に、前記第１近接命令を受け付ける。
【００１１】
また、請求項７の発明は、請求項５または６に記載の表示装置において、前記タッチパネルの周辺に設けられた操作部をさらに備え、前記検出手段は、前記ユーザの前記操作部への近接を検出し、前記取得手段は、前記ユーザが前記操作部に一点および複数点のいずれで近接したかに応じて、前記ユーザが前記操作部に接触した接触位置、および、前記操作部に近接した近接位置のいずれかを取得し、前記受付手段は、前記ユーザが前記タッチパネルおよび前記操作部のいずれかに一点および複数点のいずれで近接したかに応じて、前記操作部に対する接触位置に関連付けられた命令である第２接触命令と、前記操作部に対する近接位置に関連付けられた命令である第２近接命令とのいずれかを受け付ける。
【００１２】
また、請求項８の発明は、請求項５乃至７のいずれかに記載の表示装置において、前記受付手段は、前記ユーザが前記タッチパネルおよび前記操作部のいずれかに一点で近接した場合に、前記第２接触命令を受け付けて、前記ユーザが前記タッチパネルおよび前記操作部のいずれかに複数点で近接した場合に、前記第２近接命令を受け付ける。
【００１３】
また、請求項９の発明は、タッチパネルを備える表示装置に対するコマンド選択方法において、ユーザの前記タッチパネルへの近接を検出する工程と、前記ユーザが前記タッチパネルに一点および複数点のいずれで近接したかに応じて、前記ユーザの前記タッチパネルに対する接触により定まる接触位置、および、前記タッチパネルに対する近接により定まる近接位置のいずれかを取得する工程と、前記接触位置に関連付けられた命令である第１接触命令、および、前記近接位置に関連付けられた命令である第１近接命令のいずれかを受け付ける工程と、を備える。
【００１４】
また、請求項１０の発明は、タッチパネルを備える表示装置において、ユーザの前記タッチパネルへの近接を検出する検出手段と、前記ユーザが前記タッチパネルに近接した近接位置を取得する取得手段と、前記ユーザが前記タッチパネルに一点および複数点のいずれで近接したかに応じて、前記表示装置の複数の機能のうち第１の機能に関連付けられた命令である第１機能命令、および、第２の機能に関連付けられた命令である第２機能命令のいずれかを受け付ける受付手段と、を有する。
【００１５】
また、請求項１１の発明は、タッチパネルを備える表示装置に対するコマンド選択方法において、ユーザの前記タッチパネルへの近接を検出する工程と、前記ユーザが前記タッチパネルに近接した近接位置を取得する工程と、前記ユーザが前記タッチパネルに一点および複数点のいずれで近接したかに応じて、前記表示装置の複数の機能のうち第１の機能に関連付けられた命令である第１機能命令、および、第２の機能に関連付けられた命令である第２機能命令のいずれかを受け付ける工程と、を有する。
【００１６】
また、請求項１２の発明は、タッチパネルおよび該タッチパネルの周辺に設けられた操作部を備える表示装置において、ユーザの前記タッチパネルおよび前記操作部のいずれかへの近接を検出する検出手段と、前記ユーザが前記タッチパネルおよび前記操作部のいずれかに近接した近接位置を取得する取得手段と、前記ユーザが前記タッチパネルおよび前記操作部のいずれかに一点および複数点のいずれで近接したかに応じて、前記ユーザが前記タッチパネルに近接した位置に関連付けられた命令である第１近接命令、および、前記ユーザが近接した前記操作部に関連付けられた命令である第２近接命令のいずれかを受け付ける受付手段と、を備える。
【００１７】
さらに、請求項１３の発明は、タッチパネルおよび該タッチパネルの周辺に設けられた操作部を備える表示装置に対するコマンド選択方法において、ユーザの前記タッチパネルおよび前記操作部のいずれかへの近接を検出する工程と、前記ユーザが前記タッチパネルおよび前記操作部のいずれかに近接した近接位置を取得する工程と、前記ユーザが前記タッチパネルおよび前記操作部のいずれかに一点および複数点のいずれで近接したかに応じて、前記ユーザが前記タッチパネルに近接した位置に関連付けられた命令である第１近接命令、および、前記ユーザが近接した前記操作部に関連付けられた命令である第２近接命令のいずれかを受け付ける工程と、を備える。
【発明の効果】
【００１８】
請求項１ないし１３の発明によれば、第一の検出手段は、先ず物体の状態を検出し、当該物体による操作が第一の検出手段に対する操作か、第二の検出手段に対する操作かを判別することで、ユーザが目的とする機能を実現させる際のタッチパネルに対する操作回数が減少して簡易な操作が可能となる。また、ユーザの意図する操作を判別可能となり、ユーザが目的とする機能を確実に実行できる。
【００１９】
また、特に請求項２の発明によれば、第一の検出手段は空間の物体を検出する手段であり、第二の検出手段はタッチパネルであり、前記物体の状態は指の状態であることで、ユーザはタッチパネルに対する接触操作と近接操作を正確に使い分けて目的とする機能を確実に実行できる。
【００２０】
また、特に請求項３の発明によれば、請求項１または２に記載の入力操作装置において、前記第一の検出手段の検出範囲と前記第二の検出手段の検出範囲における隣接は、上下または左右の配置の少なくともいずれか一方を含む位置関係にあることで、ユーザが目的とする機能を実現させる際のタッチパネルに対する操作回数が減少して簡易な操作が可能となる。
【００２１】
また、特に請求項４の発明によれば、第一の検出手段および第二の検出手段の少なくともいずれか一方において所定期間物体による入力操作を禁止することで、ユーザの意図しない操作の受付による誤操作の発生を防止できる。
また、特に請求項５の発明によれば、接触位置に関連付けられた命令である第１接触命令、および、近接位置に関連付けられた命令である第１近接命令のいずれかを受け付けることで、ユーザが目的とする機能を実現させる際のタッチパネルに対する操作回数が減少して簡易な操作が可能となる。また、ユーザの意図する操作が接触操作および近接操作のいずれの操作であるかが判別可能となり、ユーザが目的とする機能を確実に実行できる。
【００２２】
また、特に請求項６の発明によれば、ユーザがタッチパネルに一点で近接した場合に、第１接触命令を受け付けて、ユーザがタッチパネルに複数点で近接した場合に、第１近接命令を受け付けることで、ユーザはタッチパネルに対する接触操作と近接操作を正確に使い分けて目的とする機能を確実に実行できる。
【００２３】
また、特に請求項７の発明によれば、ユーザがタッチパネルおよび操作部のいずれかに一点および複数点のいずれで近接したかに応じて、操作部に対する接触位置に関連付けられた命令である第２接触命令と、操作部に対する近接位置に関連付けられた命令である第２近接命令とのいずれかを受け付けることで、ユーザが目的とする機能を実現させる際のタッチパネルおよび操作部に対する操作の操作回数が減少して簡易な操作が可能となる。また、ユーザの意図する操作が接触操作および近接操作のいずれの操作であるかが判別可能となり、ユーザが目的とする機能を確実に実行できる。
【００２４】
また、特に請求項８の発明によれば、ユーザがタッチパネルおよび操作部のいずれかに一点で近接した場合に、第２接触命令を受け付けて、ユーザがタッチパネルおよび操作部のいずれかに複数点で近接した場合に、第２近接命令を受け付けることで、ユーザは操作部に対する接触操作と非接触操作を正確に使い分けて目的とする機能を確実に実行できる。
【００２５】
また、特に請求項１０の発明によれば、ユーザがタッチパネルに一点および複数点のいずれで近接したかに応じて、第１機能命令および第２機能命令のいずれかを受け付けることで、ユーザはタッチパネルに対して非接触による感覚的な操作で複数の機能の中から目的とする機能を確実に実行できる。
【００２６】
また、特に請求項１２によれば、ユーザがタッチパネルおよび操作部のいずれかに一点および複数点のいずれで近接したかに応じて、第１近接命令および第２近接命令のいずれかを受け付けることで、ユーザが目的とする機能以外の他の機能を実行することなく、目的とする機能を確実に実行できる。
【図面の簡単な説明】
【００２７】
【図１】図１は、表示装置の外観を示す図である。
【図２】図２は、表示装置の構成を示すブロック図である。
【図３】図３は、ユーザによる複数点でのタッチパネルの操作面への近接を示す図である。
【図４】図４は、表示装置のＡ−Ａ線矢視断面図である。
【図５】図５は、ユーザの近接操作の受付を説明する図である。
【図６】図６は、ユーザの一点でのタッチパネルの操作面への接触を示す図である。
【図７】図７は、表示装置のＡ−Ａ線矢視断面図である。
【図８】図８は、ユーザの接触操作の受付を説明する図である。
【図９】図９は、ユーザの操作に対する表示装置の処理の流れを示す図である。
【図１０】図１０は、表示装置の外観を示す図である。
【図１１】図１１は、ユーザの一点でのタッチパネルの操作面への近接に応じた同一機能内での表示切替を説明する図である。
【図１２】図１２は、ユーザの一点での近接による操作部の近接操作の受付について説明する図である。
【図１３】図１３は、ユーザの一点での近接による操作部の近接操作の受付について説明する図である。
【図１４】図１４は、ユーザの一点での近接による操作部の近接操作の受付について説明する図である。
【発明を実施するための形態】
【００２８】
以下、図面を参照しつつ本発明の実施の形態について説明する。
【００２９】
＜１．第１の実施の形態＞
＜１−１．構成＞
図１は、本実施の形態の表示装置１の外観を示す図である。この表示装置１は、例えば、自動車などの車両内において使用されるものであり、車室内のドライバなどのユーザに対して表示装置１が有する機能の実行により各種の情報を表示する。表示装置１が有する主な機能として、地図画像を表示して目的地までのルートを案内するナビゲーション機能、および、車室内に音を出力するオーディオ機能などがある。また、表示装置１は、文字入力装置としても機能し、例えば、ナビゲーション機能における目的地設定や、オーディオ機能における音声データのタイトルの変更等においてユーザが文字を入力できるようになっている。
【００３０】
表示装置１は、例えばガラス基盤で構成され各種情報を表示するディスプレイ２と、ユーザが操作するタッチパネル３とを備えている。タッチパネル３の操作面には図示しない透明電極が設けられ、この透明電極における静電容量の変化を検出するセンサ（例えば、後述する図２に示す検出部１０）が接続されている。そして、タッチパネル３の操作面はディスプレイ２の表示面に重なるように配置され、タッチパネル３の操作面の位置とディスプレイ２の表示面上の位置とは対応付けられている。また、タッチパネル３の操作面は、ディスプレイ２の表示面よりもユーザ側に配置され、タッチパネル３の表面には保護カバー等が設けられる。
【００３１】
また、ディスプレイ２の表示面には、適宜、ユーザの指示を受け付けるコマンドボタン５が表示される。ユーザが、このようなコマンドボタン５の領域に対応するタッチパネル３の操作面中の領域に指を接触させる接触操作を行うことで、コマンドボタン５の位置に関連付けられた命令が受け付けられて、ユーザが目的とする機能が実行される。
【００３２】
ここで、接触操作は、ユーザがタッチパネル３の操作面に指を接触させた場合に生じる静電容量の変化に基づき、ユーザが接触したタッチパネル３の操作面中の位置が検出され、当該位置に関連付けられた命令が表示装置１に受け付けられる操作である。
【００３３】
また、上述の接触操作とは異なる他の操作として、ユーザが指をタッチパネル３の操作面に近接させて操作する近接操作がある。この近接操作は、ユーザが指をタッチパネル３の操作面に接触させることなく、少なくともタッチパネル３の操作面に対して指が近接した（例えば、後述する図４に示すように、ユーザ６の指先とタッチパネル３の操作面との間隔が2.0cm以下〜0.2cm以上の所定の距離範囲内となった）場合に生じる静電容量の変化に基づき行われる。そして、この静電容量の変化に基づきユーザ６が近接したタッチパネル３の操作面中の位置が検出され、当該位置に関連付けられた命令が表示装置１に受け付けられる操作である。つまり、近接操作では、ユーザ６が近接したタッチパネル３の操作面中の位置が検出され、当該位置に関連付けられた命令が表示装置１に受け付けられる。
【００３４】
また、表示装置１のディスプレイ２の表示面の周辺に、ユーザ６が操作するための物理的なスイッチ（例えば、ハードボタン）が設けられている。そして、ユーザ６が複数のハードボタンを含む操作部４のうち特定のハードボタンに指を接触させて押圧することで、ユーザ６が選択したハードボタンに関連付けられた機能の実行命令が表示装置１に受け付けられる。
【００３５】
図２は、表示装置１の構成を示すブロック図である。図２に示すように、表示装置１は、上述したディスプレイ２、タッチパネル３、および、操作部４に加えて、検出部１０、記憶部１１、ナビゲーション部１２、オーディオ部１３、および、スピーカ１４を主に備えている。
【００３６】
検出部１０は、例えば、ハードウェア回路であり、タッチパネル３の操作面に設けられた透明電極に接続され、当該透明電極における静電容量の変化を検出するセンサである。また、検出部１０は、ユーザ６がタッチパネル３の操作面に指を接触させることにより生じた静電容量の変化を検出する接触検出部１０ａを備えている。さらに、検出部１０は、ユーザ６がタッチパネル３の操作面に指を近接させた場合の静電容量の変化を検出する近接検出部１０ｂを備えている。
【００３７】
詳細には、接触検出部１０ａは、駆動電極及び受信電極の２電極間の静電容量の変化を測定する相互容量方式で、ユーザ６の指がタッチパネル３の操作面に接触した場合の静電容量の変化を検出する。つまり、接触検出部１０ａは、ユーザ６の指による電界の遮断によって受信電極の受信する電荷が減少することに基づいて、ユーザ６がタッチパネル３に接触したときの静電容量の変化を検出する。
【００３８】
近接検出部１０ｂは、ユーザ６の指の電極への近接によって浮遊容量に関して指先と透明電極との間の静電容量の変化を測定する自己容量方式で、ユーザ６の指がタッチパネル３の操作面に対して近接した場合に生じる静電容量の変化を検出する。そして、近接検出部１０ｂは、ユーザ６が１本の指でタッチパネル３の操作面に近接した場合と、複数本の指（例えば、ユーザ６の同じ手の隣接する２本の指）でタッチパネル３の操作面に近接した場合とで異なる静電容量の変化を検出する。このように近接検出部１０ｂは、ユーザ６のタッチパネル３への近接を検出する。言い換えると、近接検出部１０ｂは、静電容量の変化を検出する検出範囲に相当する空間における物体を検出する。
【００３９】
なお、静電容量の変化の検出は、ユーザ６がタッチパネル３の操作面に近接する前や近接した状態では、近接検出部１０ｂによる検出が行われる。そして、ユーザ６がタッチパネル３の操作面に近接した状態から更にタッチパネル３の操作面に近づいた（例えば、ユーザ６の指先とタッチパネル３の操作面との間隔が0.2cm未満となった）場合に、後述する切替部２０ｄが静電容量の変化の検出を近接検出部１０ｂによる検出から接触検出部１０ａによる検出に切替える。
【００４０】
記憶部１１は、例えばフラッシュメモリなど、各種のデータを記憶可能な不揮発性の記憶装置である。記憶部１１には、表示装置１の処理に必要な各種のデータや、プログラム１１ａが記憶される。
【００４１】
また、ナビゲーション部１２は、記憶部１１に記憶された地図を利用して、目的地までのルートを案内するナビゲーション機能を実現する。オーディオ部１３は、記憶部１１に記憶された音声データを利用して、スピーカ１４を介して音を出力するオーディオ機能を実現する。
【００４２】
また、表示装置１は、装置全体を制御する制御部２０を備えている。制御部２０は、例えば、ＣＰＵ、ＲＡＭ、および、ＲＯＭなどを備えるマイクロコンピュータである。制御部２０の各種の機能は、記憶部１１に記憶されたプログラム１１ａをＣＰＵが実行することにより実現される。このようなプログラム１１ａは、メモリカードなどの記録媒体からの読み出し等により取得され、記憶部１１に予め記憶される。表示装置１が、ネットワークを介した通信機能を備える場合は、他の通信装置との通信によりプログラム１１ａが取得されてもよい。
【００４３】
また、制御部２０は、表示制御部２０ａ、取得部２０ｂ、受付部２０ｃ、および、切替部２０ｄを主に備えている。これらはプログラム１１ａの実行により実現される制御部２０の機能のうちの一部である。
【００４４】
表示制御部２０ａは、ディスプレイ２の表示内容を制御する。表示制御部２０ａは、例えば地図画像や、ユーザ６が接触操作や近接操作を行う指標となるコマンドボタン５などを、ディスプレイ２の表示面に表示させる。
【００４５】
取得部２０ｂは、検出部１０の接触検出部１０ａにより検出された静電容量の変化に関する信号を受信し、この静電容量の変化に関する信号に基づいてユーザ６が接触したタッチパネル３の操作面中の特定の１箇所の位置を取得する。
【００４６】
また、取得部２０ｂは、接触検出部１０ａからの信号とともに、近接検出部１０ｂからの信号も受信する。つまり、取得部２０ｂは、近接検出部１０ｂからの静電容量の変化に関する信号に基づいてユーザ６が一点および複数点のいずれでタッチパネル３の操作面に近接したかを判定し、近接検出部１０ｂにより検出された静電容量の変化に関する信号に基づいてタッチパネル３の操作面中の特定の１箇所の位置を取得する。
【００４７】
なお、タッチパネル３の操作面中の特定の１箇所は所定の領域を有する。そのため、ユーザ６が一点で近接した場合、および、複数点で近接した場合のどちらの場合も所定の領域に対応するタッチパネル３の操作面中の１箇所の位置が取得される。
【００４８】
ここで、ユーザ６が一点でタッチパネル３の操作面に近接した場合と、複数点でタッチパネル３の操作面に近接した場合とでは静電容量の変化の状態が異なる。例えば、複数点で近接した場合の静電容量の変化は一点で近接した場合の静電容量の変化よりも大きくなる。このような静電容量の変化に基づき、取得部２０ｂは近接検出部１０ｂから受信した静電容量の変化に関する信号に基づいてユーザ６のタッチパネル３の操作面への近接が一点での近接か、複数点での近接かの判定を行う。
【００４９】
受付部２０ｃは、ユーザ６がタッチパネル３の操作面中に接触した位置に関する信号を取得部２０ｂから受信し、この位置に関する信号に基づいて当該位置に関連付けられた命令を受け付ける。例えば、受付部２０ｃは、ユーザ６がタッチパネル３の操作面中のコマンドボタン５の領域に指を接触させた位置に関する信号を取得部２０ｂから受信し、当該位置に関する信号に基づいてコマンドボタン５の領域に対応する位置に関連付けられた命令を受け付ける。
【００５０】
また、受付部２０ｃは、ユーザ６がタッチパネル３の操作面中に近接した位置に関する信号を取得部２０ｂから受信し、この位置に関する信号に基づいて当該位置に関連付けられた命令の入力操作を受け付ける。例えば、受付部２０ｃは、ユーザ６が近接したタッチパネル３の操作面中のコマンドボタン５の領域に指を近接させた位置から別の位置へのユーザ６の指が連続的に移動した位置に関する信号を取得部２０ｂから受信し、当該位置に関する信号に基づいてコマンドボタン５の領域に対応する位置に関連付けられた命令を受け付ける。なお、受付部２０ｃは、ユーザ６の指が連続的に移動する前のタッチパネル３の操作面に指が近接した位置に関連付けられた命令を受け付けても、ユーザ６の指が連続的に移動した後のタッチパネル３の操作面に指が近接した位置に関連付けられた命令を受け付けてもよい。
【００５１】
切替部２０ｄは、ユーザ６がタッチパネル３の操作面に一点および複数点のいずれで近接したかに応じて、検出部１０による静電容量の変化の検出を接触検出部１０ａによる検出と、近接検出部１０ｂによる検出とのいずれかに切り替える。
【００５２】
ここで、切替部２０ｄによる接触検出部１０ａと近接検出部１０ｂとの検出の切替えを含めたユーザ６の一点および複数点のそれぞれの近接に基づく命令の受付について詳細に説明する。
【００５３】
まずユーザ６の指がタッチパネル３の操作面に近接する前の静電容量の検出は、検出部１０の近接検出部１０ｂにより行われる。言い換えると接触検出部１０ａによる静電容量の変化の検出は行われていない。このような場合にユーザ６が複数点（例えば、ユーザ６の同じ手の隣接する２本の指）でタッチパネル３の操作面に近接した場合、近接検出部１０ｂはユーザ６の複数点の近接に応じた静電容量の変化を検出する。そして、取得部２０ｂが近接検出部１０ｂから複数点での近接に応じた静電容量の変化に関する信号を受信し、この静電容量の変化に関する信号に基づいてユーザ６の複数点での近接が行われた（例えば、第１の所定値を上回る静電容量の変化が検出された）と判定した場合、タッチパネル３の操作面中の特定の１箇所の位置である近接位置を取得する。受付部２０ｃは近接位置に関する信号を取得部２０ｂから受信し、この近接位置に関連付けられた命令を受け付ける。
【００５４】
次に、ユーザ６が一点（例えば、ユーザ６の１本の指）でタッチパネル３の操作面に近接した場合に、近接検出部１０ｂはユーザ６の一点での近接に応じた静電容量の変化を検出する。ここで、ユーザ６の指が複数本の場合と比べて１本の場合は指先の全体の面積が小さくなることから電極（例えば、透明電極）との間に生じる静電容量の変化は小さくなる。このように近接検出部１０ｂがユーザ６の指の１本での近接に応じた静電容量の変化を検出する。そして、取得部２０ｂが近接検出部１０ｂから一点での近接に応じた静電容量の変化に関する信号を受信し、この静電容量の変化に関する信号に基づいてユーザ６の一点での近接が行われた（例えば、第１の所定値を下回る静電容量の変化が検出された）と判定した場合、タッチパネル３の操作面中の特定の１箇所の位置である近接位置の取得を行わない。そのため、受付部２０ｃは、近接位置に関する信号を取得部２０ｂから受信することなく、この位置に関連付けられた命令も受け付けられない。
【００５５】
また、ユーザ６が一点でタッチパネル３の操作面に近接した後にその一点がタッチパネル３の操作面に対して更に近づいた（例えば、ユーザ６の１本の指先とタッチパネル３の操作面との間隔が0.2cm未満となった）場合に、切替部２０ｄは、静電容量の変化の検出を近接検出部１０ｂによる検出から、接触検出部１０ａによる検出へと切り替える。つまり、ユーザ６の１本の指がタッチパネル３の操作面に近接した状態から更に近づいた（ユーザ６の指とタッチパネル３の操作面との距離が連続的に小さくなった）場合（例えば、近接検出部１０ｂにより検出される静電容量が第２の所定値を上回った場合）に、切替部２０ｄは静電容量の変化の検出を近接検出部１０ｂによる検出から接触検出部１０ａによる検出に切替える。その結果、近接検出部１０ｂは検出を行わず、接触検出部１０ａが静電容量の変化の検出を行うこととなる。
【００５６】
そして、ユーザ６の指先がタッチパネル３の操作面に近接した状態から更に近づいた後、タッチパネル３の操作面に接触したことにより、接触検出部１０ａがユーザ６の１本の指が接触したことに応じた静電容量の変化を検出する。そして、取得部２０ｂが静電容量の変化に関する信号を受信し、この静電容量の変化に関する信号に基づいて特定の１箇所の位置である接触位置を取得する。受付部２０ｃは取得部２０ｂから接触位置に関する信号を受信し、この接触位置に関する信号に基づいて接触位置に関連付けられた命令の入力を受け付ける。
【００５７】
＜１−２．ユーザの入力操作＞
次に、表示装置１に対するユーザ６の各操作について具体的に説明する。
＜１−２−１．複数点による近接操作＞
図３〜図５を用いてユーザ６の複数点による近接操作について説明する。図３は、ユーザ６による複数点でのタッチパネル３の操作面への近接を示す図である。図３では表示装置１のナビゲーション機能の実行に伴い地図画像ｍｐ１がディスプレイ２に表示されており、この地図画像ｍｐ１に重畳してコマンドボタン５が表示されている。そして、ユーザ６がユーザ６の同じ手の隣接する２本の指をタッチパネル３の操作面に近接させることで、近接検出部１０ｂはユーザ６の複数点によるタッチパネル３の操作面への近接による静電容量の変化を検出する。次に、図３の表示装置１の切断面を図４に示して説明する。
【００５８】
図４は、表示装置１のＡ−Ａ線矢視断面図である。図４に示すようにユーザ６の複数本の指がタッチパネル３に対して近接状態ではない位置（所定の距離範囲外の位置で、例えば、ユーザ６の指先からタッチパネル３の操作面までの距離が2.0cmを上回る位置）（図４上図）からタッチパネル３の操作面に近接した位置（図４下図）へと移動することで、ユーザ６の指先とタッチパネル３に設けられた電極との間の静電容量が変化する。つまり、ユーザ６の複数本の指先と電極との間隔が狭くなることで静電容量が増加する。近接検出部１０ｂは、この静電容量の変化に関する信号を取得部２０ｂに出力する。そして、取得部２０ｂは静電容量の変化に関する信号に基づいてタッチパネル３の操作面中の特定の１箇所の位置である近接位置を取得する。
【００５９】
なお、上述のようにユーザ６の指先とタッチパネル３に設けられた透明電極の間の静電容量は、ユーザ６の指の本数が増えることにより増加する。つまり、ユーザ６の指の全体面積が大きくなることにより静電容量も増加する。そのため、近接検出部１０ｂは、図３および図４に示すようにユーザ６が複数点でタッチパネル３の操作面の近接することにより生じる静電容量の変化を検出し、取得部２０ｂがこの静電容量の変化に関する信号を受信する。そして、取得部２０ｂは、静電容量の変化が第１の所定値を上回る静電容量の変化の場合に、タッチパネル３の操作面中の特定の１箇所の位置である近接位置（例えば、コマンドボタン５の領域に対応する位置）を取得する。
【００６０】
次に、ユーザ６の近接操作の受付について説明する。図５は、ユーザ６の近接操作の受付を説明する図である。図５上図に示すようにユーザ６が近接したタッチパネル３の操作面中の位置（例えば、コマンドボタン５の領域に対応する位置）から、矢印ｔｒに示す右方向にユーザ６の指を操作面に対して略平行に移動させてタッチパネル３の操作面中の別の位置に近接させる操作を行うことで、受付部２０ｃが取得部２０ｂからのコマンドボタン５の領域に対応する位置に関連付けられた命令（以下、「コマンドボタン５の命令」という。）を受け付ける。
【００６１】
このように受付部２０ｃがジェスチャ操作によるコマンドボタン５の命令を受け付けた場合、コマンドボタン５の命令に対応する表示装置１の機能が実行される。例えば、コマンドボタン５の命令がオーディオ機能の実行に対応している場合、図５上図に示す地図画像ｍｐ１から図５下図に示すようにオーディオ画像ａｄにディスプレイ２の表示画像が切り替えられる。
【００６２】
なお、上述のようにユーザ６の指が近接したタッチパネル３の操作面中の位置から、その指をタッチパネル３の操作面中の別に位置にタッチパネル３の操作面に対して略平行に移動させることで、受付部２０ｃがユーザ６が近接したタッチパネル３の操作面の位置に関連付けられた命令を受け付ける操作を以下ではジェスチャ操作という場合がある。
＜１−２−２．一点による接触操作＞
次に、図６〜図８を用いてユーザ６の一点による接触操作について説明する。図６は、ユーザ６の一点でのタッチパネル３の操作面への接触を示す図である。図６では図３と同様にナビゲーション機能の実行に伴い地図画像ｍｐ１がディスプレイ２に表示されており、この地図画像ｍｐ１に重畳してコマンドボタン５が表示されている。そして、ユーザ６が１本の指をタッチパネル３の操作面に接触させることで、接触検出部１０ａはユーザ６の一点によるタッチパネル３の操作面の接触による静電容量の変化を検出する。次に、図６の表示装置１の切断面を図７に示して説明する。
【００６３】
図７は、表示装置１のＡ−Ａ線矢視断面図である。この図７に示すようにユーザ６の１本の指がタッチパネル３に対して近接した位置（図７上図）から近接した位置よりもタッチパネル３の操作面に更に近づいた位置（例えば、ユーザ６の指先とタッチパネル３の操作面との間隔が0.2cm未満の位置）（図７下図）へと移動することで、近接検出部１０ｂが検出するユーザ６の指先とタッチパネル３に設けられた電極との間の静電容量が変化する。つまり、ユーザ６の１本の指先と電極との間隔が狭くなることで静電容量が増加する。
【００６４】
ここで、近接検出部１０ｂが検出する静電容量の変化が第１の所定値を上回ることにより切替部２０ｄは、静電容量の変化の検出を近接検出部１０ｂによる検出から接触検出部１０ａによる検出に切り替える。そして、接触検出部１０ａがユーザ６の１本の指のタッチパネル３の操作面への接触による静電容量の変化を検出した場合、取得部２０ｂが静電容量の変化に関する信号を受信する。取得部２０ｂは静電容量の変化に関する信号に基づいて特定の１箇所の位置である接触位置（例えば、コマンドボタン５の領域に対応する位置）を取得する。
【００６５】
次に、ユーザ６の接触操作の受付について説明する。図８は、ユーザ６の接触操作の受付を説明する図である。図８上図に示すように、ユーザ６がタッチパネル３の操作面中の位置（例えば、コマンドボタン５の領域に対応する位置）に接触操作を行うことで、受付部２０ｃが取得部２０ｂからのコマンドボタン５の命令を受け付ける。このように受付部２０ｃがコマンドボタン５の命令を受け付けた場合、コマンドボタン５の命令に対応する表示装置１の機能が実行される。例えば、コマンドボタン５の命令が目的地検索機能の実行に対応している場合、図８上図に示す地図画像ｍｐ１から図８下図に示す検索画像ｓｅにディスプレイ２の表示画像が切り替えられて目的地検索機能が実行される。
【００６６】
なお、図８ではコマンドボタン５に対してユーザ６が接触操作を行うことで実行される機能として目的地検索機能を説明し、先に説明した図５ではコマンドボタン５に対してユーザ６が近接操作を行うことで実行される機能としてオーディオ機能を説明した。このように近接操作および接触操作の各操作で取得部２０ｂが取得したタッチパネル３の操作面中の位置が同じ位置であっても、ユーザ６の異なる操作に応じて異なる機能が実行される。
【００６７】
言い換えると、静電容量の変化の検出が接触検出部１０ａによる検出か、近接検出部１０ｂによる検出かのいずれの検出かに応じて、タッチパネル３の操作面中の位置が同じであっても異なる命令が受け付けられて、それぞれに応じた機能が実行される。これにより、ユーザ６が目的とする機能を実現させる場合にタッチパネル３に対する操作回数が減少して簡易な操作可能となる。また、ユーザ６の意図する操作が接触操作および非接触の近接操作のいずれの操作であるかが判別可能となり、ユーザ６が目的とする機能を確実に実行できる。つまり、ユーザ６がタッチパネル３に対する接触操作と非接触操作を正確に使い分けて目的とする機能を確実に実行できる。
【００６８】
また、静電容量の変化の検出方法が異なる場合でもタッチパネル３の操作面中の位置が同じの場合は同一の機能を実現するようにしてもよい。例えば、接触検出部１０ａにより静電容量の変化を検出してユーザ６のタッチパネル３の操作面の接触操作を受け付けた場合、および、近接検出部１０ｂにより静電容量の変化を検出してユーザ６のタッチパネル３の操作面の近接操作を受け付けた場合のいずれの場合であっても、タッチパネル３の操作面中の位置が同じ位置のときは、受付部２０ｃが同一の機能（例えば、オーディオ機能）に関する命令を受け付けて、対応する画像（例えば、オーディオ画像ａｄ）がディスプレイ２に表示されるように機能が実行されてもよい。
【００６９】
なお、上述のように切替部２０ｄが、静電容量の変化の検出を近接検出部１０ｂによる検出から接触検出部１０ａによる検出に切替えるのは、ユーザ６の１本の指がタッチパネル３の操作面に近接して、この１本の指がタッチパネル３の操作面に近接した状態となる所定の距離範囲内よりもタッチパネル３の操作面に更に近づいたときである。そのため、ユーザ６が複数点に対応する複数本の指（例えば、ユーザ６の同じ手の隣接する２本の指）がタッチパネル３の操作面に近接して、複数本の指が所定の距離範囲よりも更にタッチパネル３に近づいても、接触検出部１０ａが静電容量の変化検出を行うことはなく、近接検出部１０ｂがユーザ６の指がタッチパネル３に近接した場合の静電容量の検出を継続して行う。つまり、ユーザ６の複数本の指が所定の距離範囲よりも更にタッチパネル３に近づいた場合でも、切替部２０ｄは、静電容量の変化の検出を近接検出部１０ｂによる検出から接触検出部１０ａによる検出に切替えることはない。このため、受付部２０ｃはユーザ６の複数本の指での接触位置に関連付けられた命令を受け付けない。
【００７０】
また、これまでの説明からタッチパネル３の操作面に対するユーザ６の指の近接を検出する所定の距離範囲と、ユーザ６の指の接触を検出するタッチパネル３の操作面とは、次のような関係にある。つまり、図４および図７に示すように所定の距離範囲とタッチパネル３の操作面とは近傍に位置し、隣接して配置されている。これにより、ユーザ６が目的とする機能を実現させる際のタッチパネル３に対する操作回数が減少して簡易な操作が可能となる。また、ユーザ６の意図する操作を判別可能となり、ユーザ６が目的とする機能を確実に実行できる。
【００７１】
また、上述のタッチパネル３の操作面と所定の距離範囲との関係を言い換えると、表示装置１のタッチパネル３の面を上側、表示装置１の背面を下側とした場合、タッチパネル３の操作面の上に所定の距離範囲が配置されていることから、これらが上下に配置されているともいえる。さらに、後述する第２の実施の形態に主に示すように操作部４に関する操作部領域ｔｅにおいてもユーザ６の近接および接触の操作の検出が可能である。そのため、タッチパネル３の操作面に関する所定の距離範囲およびタッチパネル３の操作面と、操作部４に関する所定の距離範囲および操作部４とは左右の配置の位置関係にあるといえる。このような配置により、ユーザ６は複数の操作方法を有することとなり、ユーザ６が目的とする機能を実現させる際のタッチパネルに対する操作回数が減少して簡易な操作が可能となる。
【００７２】
＜１−３．処理の流れ＞
図９は、ユーザ６の操作に対する表示装置１の処理の流れを示す図である。以下、図９を参照して、表示装置１の処理の流れを説明する。
【００７３】
まず、表示制御部２０ａが、ディスプレイ２の表示面に画像（例えば、地図画像ｍｐ１）を表示させる（ステップＳ１０）。次に、検出部１０の近接検出部１０ｂがユーザ６の指先とタッチパネル３の電極との間の静電容量の変化を検出する。取得部２０ｂは、この静電容量の変化に関する信号を受信し、当該静電容量の変化に関する信号に基づいてユーザ６の指がタッチパネル３の操作面に近接しているか否かを判定する（ステップＳ１１）。取得部２０ｂが静電容量の変化が生じていると判定した場合（ステップＳ１１でＹｅｓ）、当該取得部２０ｂは静電容量の変化に関する信号に基づいてユーザ６の複数点での近接であるか否かを判定する（ステップＳ１２）。
【００７４】
そして、取得部２０ｂが静電容量の変化に関する値がタッチパネル３の操作面に対するユーザ６の一点での近接と複数点の近接とを判別するための閾値である第１の所定値を上回ると判定した場合、取得部２０ｂは、ユーザ６の複数本の指がタッチパネル３の操作面に近接したと判定し（ステップＳ１２でＹｅｓ）、静電容量の変化に関する信号に基づいてユーザ６が複数点で近接するタッチパネル３の操作面の特定の１箇所の位置である近接位置を取得する（ステップＳ１３）。
【００７５】
次に、受付部２０ｃが、取得部２０ｂから近接位置に関する信号を受信し、この近接位置（例えば、コマンドボタン５の領域に対応する位置）に関する信号に基いて当該位置に関連付けられた命令を受け付ける（ステップＳ１４）。このようなユーザ６の近接操作により、タッチパネル３の操作面中の位置に対応する機能が実行される。例えば、オーディオ機能の実行に伴い、ディスプレイ２にオーディオ画像ａｄが表示される。
【００７６】
そして、機能が実行されてから所定時間（例えば、約２秒）が経過した場合（ステップＳ２１でＹｅｓ）に近接操作の処理が終了する。今回の処理終了後は、次回以降の処理が繰り返し行われる。これは、ユーザ６の１回の近接操作が受け付けられた後に、ユーザ６の指がタッチパネル３の操作面から一定距離離れるまでに要する時間（所定の距離範囲外となるまで時間）が経過した後に、次回の処理を可能とするものである。つまり、近接操作および接触操作の少なくともいずれか一方の物体による操作を所定期間禁止するものである。
【００７７】
これにより、ユーザ６が１回の操作を終了して、ユーザ６の指がタッチパネル３の操作面から離れまでユーザ６が意図しない操作が実行されることはない。その結果、ユーザの意図しない操作の受付による誤操作の発生を防止できる。なお、近接操作による一つの機能の実行後、所定時間が経過していない場合（ステップＳ２１でＮｏ）は、所定時間が経過するまでステップＳ２０の処理が繰り返し実行される。
【００７８】
ステップＳ１１に戻り、取得部２０ｂが静電容量の変化が検出されていないと判定した場合（ステップＳ１１でＮｏ）、処理は終了する。この場合、ユーザ６の指がタッチパネル３の操作面に近接していないこととなる。
【００７９】
次に、ステップＳ１２に戻り、取得部２０ｂが静電容量の変化に関する値が第１の所定値を下回ると判定した場合（ステップＳ１２でＮｏ）、この場合、ユーザ６の１本の指がタッチパネル３の操作面に近接していることとなる。
【００８０】
そして、取得部２０ｂが、静電容量の変化に関する値がユーザ６の１本の指がタッチパネル３に対して所定の距離範囲内からタッチパネル３の操作面に更に近づくことによる連続的な静電容量の変化に関する値である第２の所定値を上回ると判定した場合（ステップＳ１５でＹｅｓ）は、次のような処理が行われる。
【００８１】
つまり、取得部２０ｂが、静電容量の変化に関する値が第２の所定値を上回ると判定した場合（ステップＳ１５でＹｅｓ）、切替部２０ｄが静電容量の変化の検出を近接検出部１０ｂによる検出から接触検出部１０ａによる検出に切替える（ステップＳ１６）。
【００８２】
なお、取得部２０ｂが、静電容量の変化に関する値が第２の所定値を下回ると判定した場合（ステップＳ１５でＮｏ）、ステップＳ１５の処理が継続して行われる。また、一定時間ステップＳ１５の処理が繰り返し行われた場合は、この繰り返しの処理を終了して、最初の処理（ステップＳ１０の処理）に戻る。
【００８３】
次に、取得部２０ｂが静電容量の変化に関する信号に基づいて、ユーザ６の一点でのタッチパネル３の操作面への接触がなされたと判定した場合（ステップＳ１７でＹｅｓ）、当該取得部２０ｂは静電容量の変化に関する信号に基づいて、タッチパネル３の操作面中の特定の１箇所の位置である接触位置を取得する（ステップＳ１８）。
【００８４】
受付部２０ｃは、取得部２０ｂから接触位置に関する信号を受信し、この接触位置に関する信号に基づいて当該位置に関連付けられた命令を受け付ける（ステップＳ１９）。このように命令が受け付けられたことにより表示装置１の機能が実行される。
【００８５】
そして、取得部２０ｂは、ユーザ６のタッチパネル３の操作面に対する一点での接触が解除されたか否かを判定する（ステップＳ２０）。つまり、取得部２０ｂが、接触検出部１０ａの検出した静電容量の変化に基づき、タッチパネル３の操作面の位置からユーザ６の指が離れたことに伴う静電容量の変化（例えば、所定の静電容量の減少）が検出されたか否かを判定する。
【００８６】
取得部２０ｂが、接触検出部１０ａから所定の静電容量の減少の検出の信号を受信した場合、ユーザ６のタッチパネル３の操作面への接触が解除されたと判定した場合（ステップＳ２０でＹｅｓ）、切替部２０ｄが静電容量の変化の検出を接触検出部１０ａによる検出から近接検出部１０ｂによる検出に切り替える（ステップＳ２１）。このように静電容量の変化が切替えられた後、所定時間が経過した場合（ステップＳ２２でＹｅｓ）、処理が終了となる。
【００８７】
また、ステップＳ２０の処理において、取得部２０ｂが接触検出部１０ａの検出した静電容量の変化に基づき、静電容量の変化（例えば、所定の静電容量の減少値）が検出されていないと判定した場合（ステップＳ２０でＮｏ）、ステップＳ１８に戻って処理が継続して行われる。また、一定時間ステップＳ１８〜ステップＳ２０の処理が繰り返し行われた場合は、この繰り返しの処理を終了して、最初の処理（ステップＳ１０の処理）に戻る。
【００８８】
また、ステップＳ２２の処理において、所定時間が経過していない場合（ステップＳ２２でＮｏ）は所定時間が経過したか否かが繰り返し判定される。さらに、一定時間ステップＳ２２の処理が繰り返し行われた場合は、この繰り返しの処理を終了して、最初の処理（ステップＳ１０の処理）に戻る。
【００８９】
このように図９のフローチャートを用いて説明した処理により、ユーザ６が目的とする機能を実現させる場合にタッチパネル３に対する操作の操作回数が減少して簡易な操作が可能となる。また、ユーザ６の意図する操作が接触操作および非接触の近接操作のいずれの操作であるかが判別可能となり、ユーザ６が目的とする機能を確実に実行できる。つまり、ユーザ６はタッチパネル３に対する接触操作と非接触の近接操作とを正確に使い分けて目的とする機能を確実に実行できる。
【００９０】
＜第２の実施の形態＞
次に、第２の実施の形態について説明する。この第２の実施の形態の表示装置（例えば、後述する図１０に示す表示装置１ａ）の構成および処理は、第１の実施の形態とほぼ同様であるが一部で異なる。以下、異なる点を主に説明する。第１の実施の形態では、タッチパネル３の操作面に電極を設けてこの電極に対応する近接検出部１０ｂがタッチパネル３に対するユーザ６の近接による静電容量の変化を検出することについて説明した。これに対して、第２の実施の形態の表示装置の構成は、例えば、図１０に示す構成となっている。図１０は表示装置１ａの外観を示す図である。図１０に示すように表示装置１ａのタッチパネル３の周辺に設けられた操作部４を含む操作部領域ｔｅに電極を設けることで、近接検出部１０ｂが操作部領域ｔｅへのユーザ６の近接による静電容量の変化を検出する。
【００９１】
そして、近接検出部１０ｂがユーザ６が一点で操作部領域ｔｅに近接した（例えば、ユーザ６の指先と操作部領域ｔｅ2.0 cm以下〜0.2 cm以上の所定の距離範囲内となった）場合よりも、更に近づいた（例えば、ユーザ６の指先と操作部４との間隔が0.2cm未満となった）ことを示す静電容量の変化が検出した場合、切替部２０ｄは静電容量の変化の検出を近接検出部１０ｂによる検出から接触検出部１０ａによる検出に切り替える。
【００９２】
次に、接触検出部１０ａがユーザ６のタッチパネル３の操作面への接触に応じた静電容量の変化を検出したことにより、取得部２０ｂはこの静電容量の変化に関する信号を受信し、ユーザ６が接触した操作部４（例えば、図１０に示すハードボタン４ａ）の特定の１箇所の位置である接触位置を取得する。そして、受付部２０ｃは取得部２０ｂからの接触位置に関する信号を受信し、この接触位置に関する信号に基づいて接触位置に関連付けられた命令を受付ける。
【００９３】
また、近接検出部１０ｂがユーザ６の複数点での操作部領域ｔｅへの近接に応じた静電容量の変化を検出した場合は、取得部２０ｂは、この静電容量の変化に関する信号を受信し、静電容量の変化に関する信号に基づいて操作部４の特定の１箇所の位置である近接位置を取得する。そして、受付部２０ｃは取得部２０ｂから近接位置に関する信号を受信し、この近接位置に関する信号に基づいて近接位置に関連付けられた命令を受付ける。
【００９４】
つまり、操作部領域ｔｅに電極を設けて、操作部領域ｔｅの範囲内にユーザ６が一点および複数点のいずれかで近接したかに応じて、ユーザ６が操作部４に接触した位置に関連付けられた命令、および、ユーザ６が操作部領域ｔｅに近接した位置に関連付けられた命令のいずれかが受け付けられる。その結果、当該位置に関連付けられた機能が実行される。これによりユーザ６が目的とする機能を実現させる場合に操作部４に対する操作の操作回数が減少して簡易な操作が可能となる。また、ユーザ６の意図する操作が接触操作および非接触操作のいずれの操作であるかが判別可能となり、ユーザが目的とする機能を確実に実行できる。
【００９５】
具体的には、ユーザ６が操作部領域ｔｅに一点で近接した場合に接触操作に関する命令が受付けられ、ユーザ６が操作部領域ｔｅに複数点で近接した場合に近接操作に関する命令が受付けられる。これにより、ユーザ６は操作部４に対する接触操作と非接触操作を正確に使い分けて目的とする機能を確実に実行できる。
【００９６】
＜第３の実施の形態＞
第３の実施の形態では、ユーザ６がタッチパネル３の操作面に一点および複数点のいずれで近接したかに応じて、表示装置１で実行される機能は異なる機能が実行される。この第３の実施の形態の表示装置の構成および処理は、第１の実施の形態とほぼ同様であるが、一部が異なる。以下では、異なる点を主に説明する。
【００９７】
図１１は第３の実施の形態について説明する図であり、ユーザ６の一点でのタッチパネル３の操作面への近接に応じた同一機能内での表示切替を説明する図である。図１１では表示装置１のナビゲーション機能の実行に伴い地図画像ｍｐ１がディスプレイ２に表示されている。
【００９８】
図１１上図では、ユーザ６が一点でタッチパネル３の操作面（例えば、地図画像上）に近接している状態を示している。そして、ユーザ６が近接したタッチパネル３の操作面中の位置（例えば、地図画像上の所定領域の１箇所に対応する位置）から、矢印ｔｐに示す左方向にユーザ６の指を操作面に対して略平行に移動させてタッチパネル３の操作面中の別の位置に近接させるようなジェスチャ操作を行うことで、同一の機能内での操作に関する命令が受け付けられる。
【００９９】
つまり、ユーザ６の近接操作が行われた場合に、近接操作前に実行されていた機能と同一の機能が維持された状態で、同一機能におけるユーザ６の操作に関する命令が受け付けられる。例えば、図１１に示すように表示装置１においてナビゲーション機能が実行されている状態でユーザ６の１本の指のタッチパネル３の操作面へ近接した後、ユーザ６がジェスチャ操作を行うことでナビゲーション機能の実行によりディスプレイ２に表示されている地図画像ｍｐ１がスクロールして別の範囲の地図画像ｍｐ２がディスプレイ２に表示される命令が受け付けられる。
【０１００】
また、ユーザ６の複数点でのタッチパネル３の操作面への近接操作では、近接操作前の機能とは異なる機能が実行される命令が受け付けられる。具体的には、第１の実施の形態で図５を用いて説明したようにナビゲーション機能が実行されている状態でユーザ６の複数本の指がタッチパネル３の操作面への近接した後、ユーザ６がジェスチャ操作を行うことでナビゲーション機能とは異なる機能であるオーディオ機能が実行される。
【０１０１】
このように近接検出部１０ｂがユーザ６のタッチパネル３への近接を検出し、取得部２０ｂがユーザ６がタッチパネル３に近接した特定の１箇所の位置である近接位置を取得する。そして、受付部２０ｃはユーザ６がタッチパネル３に一点および複数点のいずれで近接したかに応じて、表示装置１の複数の機能のうち一点での近接操作の実行以前に既に実行されていた機能（第１の機能）に関連付けられた命令、および、複数点での近接操作が行われる前に実行されていた機能とは異なる機能（第２の機能）に関連付けられた命令のいずれかを受け付ける。これにより、ユーザ６はタッチパネルに対して非接触による感覚的な操作で複数の機能の中から目的とする機能を確実に実行できる。
【０１０２】
＜第４の実施の形態＞
第４の実施の形態では、ユーザ６がタッチパネル３の操作面に一点および複数点のいずれで近接したかに応じて、タッチパネル３の操作面の近接操作、および、操作部４の近接操作のいずれかの操作が受け付けられる。この第４の実施の形態の表示装置１の構成および処理は、第１の実施の形態とほぼ同様であるが、一部が異なる。以下では、異なる点を主に説明する。
【０１０３】
図１２〜図１４は第４の実施の形態について説明する図であり、ユーザ６の一点での近接による操作部４の近接操作の受付について説明する図である。図１２では表示装置１のナビゲーション機能の実行に伴い地図画像ｍｐ１がディスプレイ２に表示されており、ユーザ６が一点でタッチパネル３の操作面に近接している状態を示している。そして、近接検出部１０ｂがユーザ６のタッチパネル３の操作面への近接に応じて静電容量の変化を検出し、取得部２０ｂが静電容量の変化からユーザ６の一点での近接であると判定した場合、当該取得部２０ｂは、操作部４の特定の１箇所の位置である近接位置を取得する。
【０１０４】
そして、受付部２０ｃが、取得部２０ｂからの近接位置に関する信号を受信し、この近接位置に関する信号に基づいてユーザ６が一点で近接した操作部４に関連付けられた命令の入力操作を受け付ける。例えば、ユーザ６が近接したハードボタン４ａの位置から、矢印ｔｄに示す下方向にユーザ６の指をハードボタン４ａに対して略平行に移動させて操作部領域ｔｅ内の別の位置に近接させるようなジェスチャ操作を行うことで、ハードボタン４ａに関連付けられた命令が受け付けられ、ハードボタン４ａに関連付けられた機能が目的地検索機能の場合、例えば、図１４に示す目的地検索機能に伴う検索画像ｓｅがディスプレイ２に表示される。
【０１０５】
なお、近接検出部１０ｂが、ユーザ６のタッチパネル３の操作面への近接に応じて静電容量の変化を検出し、取得部２０ｂが静電容量の変化からユーザ６の複数点での近接であると判定した場合、当該取得部２０ｂは、タッチパネル３の操作面の特定の１箇所の位置である近接位置を取得する。
【０１０６】
そして、受付部２０ｃが、取得部２０ｂからの近接位置に関する信号を受信し、この近接位置に関する信号に基づいてユーザ６が複数点で近接したタッチパネル３の操作面に関連付けられた命令の入力操作を受け付ける。
【０１０７】
具体的には、第１の実施の形態の図３〜図５を用いて説明したように、図５に示すユーザ６がジェスチャ操作を行うことで、タッチパネル３の操作面の位置に関連付けられた命令が受け付けられ、コマンドボタン５の命令がオーディオ機能の実行に対応している場合、図５下図に示すオーディオ機能に伴うオーディオ画像ａｄがディスプレイ２に表示される。
【０１０８】
このように近接検出部１０ｂがユーザ６のタッチパネル３の操作面および操作部領域ｔｅのいずれかへの近接を検出し、取得部２０ｂがユーザ６がタッチパネル３の操作面および操作部領域ｔｅのいずれかに近接した近接位置を取得する。そして、受付部２０ｃがユーザ６がタッチパネル３の操作面および操作部領域ｔｅのいずれかに一点および複数点のいずれで近接したかに応じて、ユーザ６がタッチパネル３に近接した位置に関連付けられた命令、および、ユーザ６が近接した操作部４に関連付けられた命令のいずれかを受け付ける。これにより、ユーザ６が目的とする機能以外の他の機能を実行することなく、目的とする機能を確実に実行できる。
【０１０９】
＜３．変形例＞
以上、本発明の実施の形態について説明してきたが、この発明は上記実施の形態に限定されるものではなく様々な変形が可能である。以下では、このような変形例について説明する。上記実施の形態及び以下で説明する形態を含む全ての形態は、適宜に組み合わせ可能である。
【０１１０】
上記実施の形態では、タッチパネル３の操作面に非接触で近接したユーザ６の位置を自己容量方式で検出するとしていたが、赤外線方式など他の方式で検出してもよい。
【０１１１】
また、上記実施の形態では、ユーザ６が複数点でタッチパネル３の操作面および操作部領域ｔｅのいずれかに近接した場合に、近接位置に関連付けられた命令が受け付けられ、ユーザ６が一点でタッチパネル３の操作面および操作部４のいずれかに接触した場合に、接触位置に関連付けられた命令が受け付けられることを例に説明した。これ以外にも、ユーザ６が一点でタッチパネル３の操作面および操作部４のいずれかに近接した場合に、近接位置に関連付けられた命令を受け付けて、ユーザ６が複数点でタッチパネル３の操作面および操作部領域ｔｅの操作部４のいずれかに接触した場合に、接触位置に関する命令が受け付けられるようにしてもよい。
【０１１２】
また、上記実施の形態では、ユーザ６がタッチパネル３の操作面に対する近接操作の例として、ジェスチャ操作について説明した。つまり、ユーザ６の指が近接したタッチパネル３の操作面中の位置から、その指をタッチパネル３の操作面中の別に位置にタッチパネル３の操作面に対して略平行に移動させることで、受付部２０ｃがユーザ６が近接したタッチパネル３の操作面の位置に関連付けられた命令を受け付ける操作について説明した。これに対して、ユーザ６の近接操作の別の例として、ユーザ６の指が近接したタッチパネル３の操作面中の位置でユーザ６の指を近接させた状態を所定時間（例えば、２秒以上）継続することで、受付部２０ｃがユーザ６が近接したタッチパネル３の操作面の位置に関連付けられた命令を受け付けるようにしてもよい。なお、これらに限らず、取得部２０ｂがユーザ６の近接したタッチパネル３の操作面の位置や操作部４の位置を取得し、受付部２０ｃが当該位置に関連付けられた命令の受け付けが可能なユーザ６の操作であれば、他の操作であってもよい。
【０１１３】
また、上記実施の形態では、タッチパネル３の操作面や操作部領域ｔｅへの複数点での近接をユーザ６の同じ手の隣接する２本の指の近接を例に説明したが、これ以外にも、ユーザ６の同じ手の隣接する３本以上の指でのタッチパネル３の操作面への近接や、異なる手の２本以上の指が隣接した状態でタッチパネル３の操作面に近接させるなどであってもよい。つまり、近接検出部１０ｂが検出する静電容量の変化がユーザ６の一点での近接とは異なる変化となり、取得部２０ｂがタッチパネル３の操作面上の特定の１箇所の位置を取得する近接操作であればよい。
【０１１４】
また、上記実施の形態では、近接検出部１０ｂが自己容量方式によりユーザ６のタッチパネル３の操作面の近接による静電容量の変化を検出し、接触検出部１０ａが相互容量方式によりユーザ６のタッチパネル３の操作面の接触による静電容量の変化を検出するという説明を行った。これに対して、ユーザ６のタッチパネル３の操作面等の近接および接触の両方を相互容量方式で検出するようにしてもよい。
【０１１５】
また、上記実施の形態では、ユーザ６はタッチパネル３の操作面や操作部領域ｔｅに指を近接させたり接触させるものとして説明したが、それ以外のユーザ６の手の平やタッチペンなどの物体を用いて近接したり接触してもよい。この場合は、このような物体の状態に基づきこの物体の位置をユーザの位置とみなせばよい。また、物体の状態の例としては、上述のようにユーザ６の指の状態などがあげられる。
【０１１６】
また、上記実施の形態では、表示装置１として車両の車室内で用いられるものを例に説明を行ったが、表示装置１は、車室内のみならずそれ以外でもスマートフォンやタブレット端末など、タッチパネルを用いて文字を入力可能な電子装置であればどのようなものであってもよい。
【０１１７】
また、上記実施の形態では、ディスプレイ２に画像を表示する表示装置を例に説明したが、これ以外に画像の表示の有無にかかわらずユーザ６が装置に対して情報等の入力操作を行う入力操作装置であってもよい。
【０１１８】
また、第４の実施の形態では、ユーザ６がタッチパネル３の操作面に一点および複数点のいずれで近接したかに応じて、タッチパネル３の操作面の近接操作、および、操作部４の近接操作のいずれかの操作が受け付けられることについて説明した。これに対して、ユーザ６が。操作部領域ｔｅに一点および複数点のいずれで近接したかに応じて、タッチパネル３の操作面の近接操作、および、操作部４の近接操作のいずれかの操作が受け付けられるようにしてもよい。
【０１１９】
また、上記実施の形態では、プログラムに従ったＣＰＵの演算処理によってソフトウェア的に各種の機能が実現されると説明したが、これら機能のうちの一部は電気的なハードウェア回路により実現されてもよい。また逆に、ハードウェア回路によって実現されるとした機能のうちの一部は、ソフトウェア的に実現されてもよい。
【符号の説明】
【０１２０】
２    ディスプレイ
３    タッチパネル
６    ユーザ
１０ａ    接触検出部
１０ｂ    近接検出部
１１ａ    プログラム
２０ａ    表示制御部
２０ｂ    取得部
２０ｃ    受付部
２０ｄ    切替部
【図１】
2014149589.tif 000003
【図２】
2014149589.tif 000004
【図３】
2014149589.tif 000005
【図４】
2014149589.tif 000006
【図５】
2014149589.tif 000007
【図６】
2014149589.tif 000008
【図７】
2014149589.tif 000009
【図８】
2014149589.tif 000010
【図９】
2014149589.tif 000011
【図１０】
2014149589.tif 000012
【図１１】
2014149589.tif 000013
【図１２】
2014149589.tif 000014
【図１３】
2014149589.tif 000015
【図１４】
2014149589.tif 000016